(57)【要約】【課題】ボリュート全体の大きさを維持しつつ、ボリュート内の流量を大きくして自吸の向上を図ることができる技術を、提供すること。【解決手段】近接部４４の外周部分４５は、各羽根３３の回転軌跡の範囲Ｓ１内で、各羽根３３から回転軸方向に離れつつ末広がりとなるテーパ状に形成されている。近接部４４の内周部分４６は、各羽根３３の回転軌跡の範囲Ｓ１内で、各羽根３３から回転軸方向に離れつつ先細りとなるテーパ状に形成されている。内周部分４６と外周部分４５との間は離間し、内周部分４６と外周部分４５との間に平面状の対向面４３が配置される。ボリュート本体４２は、ボリュート吸込口４１に連続するテーパ状の内周部分４６と、内周部分４６に連続する対向面４３と、対向面４３に連続する外周部分４５と、外周部分４５に連続する離間対向面４７ａと、羽根３３の外周面３３ｂを囲う周壁４７ｂとを有する。【選択図】図７
2015052285.tif 000002
【特許請求の範囲】
【請求項１】
ポンプケース内にボリュートが配置され、ボリュート内に羽根車が回転自在に設けられ、前記羽根車を回転することにより前記ボリュート内に吸い込んだ流体を前記ボリュートから前記ポンプケース内に送り出し、送り出した流体を前記ポンプケースの外部へ吐出する遠心ポンプにおいて、
前記羽根車は、回転軸を中心として放射状の配列された複数の羽根を有し、
前記ボリュートは、前記複数の羽根の回転軸方向端面に対向する平面状の対向面を有し、
この対向面は、前記各羽根の回転軸方向端面に近接している近接部を有し、
この近接部は、前記回転軸を中心とした環状に形成され、
この近接部の外周部分は、前記各羽根の回転軌跡の範囲内で、前記各羽根から回転軸方向に離れつつ末広がりとなるテーパ状に形成されていることを特徴とする遠心ポンプ。
【請求項２】
前記近接部の内周部分は、前記各羽根の回転軌跡の範囲内で、前記各羽根から回転軸方向に離れつつ先細りとなるテーパ状に形成され、
前記内周部分と前記外周部分との間は離間していることを特徴とする請求項１記載の遠心ポンプ。
【請求項３】
前記近接部のなかの、前記テーパ状の外周部分には、前記羽根車に向かって起立した複数のフィンが設けられ、
これらの複数のフィンは、前記回転軸を中心として放射状に配列されていることを特徴とする請求項１又は請求項２記載の遠心ポンプ。
【発明の詳細な説明】
【技術分野】
【０００１】
本発明は、ボリュート内に羽根車を備え、羽根車を回転することによりボリュート内に吸い込んだ流体をボリュートに沿わせて送り出し、送り出した流体を外部に吐出する遠心ポンプに関する。
【背景技術】
【０００２】
遠心ポンプのなかには、ボリュートの内部に回転軸が回転自在に突出され、突出させた回転軸に羽根車が設けられたものがある。この遠心ポンプによれば、ボリュートで構成された流路に流体を流すことで、遠心ポンプの性能を調整することが可能になる（例えば、特許文献１参照。）。
【０００３】
特許文献１で知られている遠心ポンプは、ポンプケース内にボリュートが配置され、このボリュート内に羽根車が回転自在に収納されている。ボリュートは、羽根車に設けられた羽根の回転軸方向端面に対向する対向面と、対向面の縁から回転軸方向に延びて羽根車の外周を囲う周壁部とを有する。対向面の中心部に形成された吸込口から流体を吸い込み、羽根車を回転させ、遠心力によって周壁部に形成された吐出口から流体をポンプケース内に吐出する。
【０００４】
ボリュート内に流路が形成されるが、羽根の回転軸方向端面と、ボリュートの対向面を接近させることで、流体の逆流を防止している。遠心ポンプの性能を向上させるため、流量を多くするには、ボリュート内の流路断面積を大きくしたり、羽根車径を大きくしたりする手法がある。ボリュートの周壁部を外周方向に大きくするか、または、ボリュートの対向面を軸方向に高く移動させることで、流路断面積を大きくすることができる。
【０００５】
しかし、周壁部を外周方向に大きくし、対向面を軸方向に高く移動させると、ボリュートとポンプケースが干渉する。この干渉を避けるために、ポンプケースを大きくすると、遠心ポンプが大型になる。また、ボリュートを外周方向ではなく回転軸方向に大きくするとボリュート内の流路断面積を有効に使えない。ボリュートの大きさを維持して、流量を大きくするには改良の余地がある。
【先行技術文献】
【特許文献】
【０００６】
【特許文献１】特開２０１２−７２６９７公報
【発明の概要】
【発明が解決しようとする課題】
【０００７】
本発明は、ボリュート全体の大きさを維持しつつ、ボリュート内の流量を大きくして自吸の向上を図ることができる技術を、提供することを課題とする。
【課題を解決するための手段】
【０００８】
請求項１に係る発明によれば、ポンプケース内にボリュートが配置され、ボリュート内に羽根車が回転自在に設けられ、前記羽根車を回転することにより前記ボリュート内に吸い込んだ流体を前記ボリュートから前記ポンプケース内に送り出し、送り出した流体を前記ポンプケースの外部へ吐出する遠心ポンプにおいて、前記羽根車は、回転軸を中心として放射状の配列された複数の羽根を有し、前記ボリュートは、前記複数の羽根の回転軸方向端面に対向する平面状の対向面を有し、この対向面は、前記各羽根の回転軸方向端面に近接している近接部を有し、この近接部は、前記回転軸を中心とした環状に形成され、この近接部の外周部分は、前記各羽根の回転軌跡の範囲内で、前記各羽根から回転軸方向に離れつつ末広がりとなるテーパ状に形成されていることを特徴とする。
【０００９】
請求項２に記載のごとく、好ましくは、近接部の内周部分は、各羽根の回転軌跡の範囲内で、各羽根から回転軸方向に離れつつ先細りとなるテーパ状に形成され、内周部分と外周部分との間は離間していることを特徴とする。
【００１０】
請求項３に記載のごとく、好ましくは、近接部のなかの、テーパ状の外周部分には、羽根車に向かって起立した複数のフィンが設けられ、これらの複数のフィンは、回転軸を中心として放射状に配列されていることを特徴とする。
【発明の効果】
【００１１】
請求項１に係る発明では、ボリュートは、複数の羽根の回転軸方向端面に対向する平面状の対向面を有し、この対向面は、各羽根の回転軸方向端面に近接している近接部を有する。近接部は、回転軸を中心とした環状に形成され、この近接部の外周部分は、各羽根の回転軌跡の範囲内で、各羽根から回転軸方向に離れつつ末広がりとなるテーパ状に形成されているので、外周部分の流路断面積を大きくすることができる。また、外周部分をテーパ状にすることで、流路の方向を、急角度ではなく、滑らかに変えることができる。結果、ボリュート全体の大きさを維持しつつ、ボリュート内の空間を有効に使うことができ、ボリュート内の流量を大きくすることができる。また、外周部分の吐出口から呼び水が供給されやすくなり、気液の撹拌が促進されて自吸の向上を図ることができる。
【００１２】
請求項２に係る発明では、近接部の内周部分は、各羽根の回転軌跡の範囲内で、各羽根から回転軸方向に離れつつ先細りとなるテーパ状に形成されているので、内周部分の流路断面積を大きくすることができる。また、内周部分をテーパ状にすることで、流路の方向を、急角度ではなく、滑らかに変えることができる。結果、より一層ボリュート内の空間を有効に使うことができ、ボリュート内の流量を大きくしてより自吸の向上を図ることができる。また、内周部分と外周部分との間は離間しているので、各羽根の回転軌跡の範囲内で接近部を存在させて、流体の逆流を防止することができる。結果、吐出揚程は変化しない。
【００１３】
請求項３に係る発明では、近接部のなかの、テーパ状の外周部分には、羽根車に向かって起立した複数のフィンが設けられる。複数のフィンは、回転軸を中心として放射状に配列されているので、流体を整流することができ、流体の流れを滑らかにすることができる。結果、流路の抵抗を下げることができ、羽根車を回転させる駆動源への負荷を低減させることができる。
【図面の簡単な説明】
【００１４】
【図１】本発明に係る実施例１の遠心ポンプを示す斜視図である。
【図２】図１の遠心ポンプの断面図である。
【図３】図１のポンプケースを破断した状態を示す斜視図である。
【図４】図２の４−４線断面図である。
【図５】図４のボリュートケースの背面図である。
【図６】図５の６−６線断面図である。
【図７】図４の７−７線断面図である。
【図８】比較例の遠心ポンプおよび実施例１の遠心ポンプの作用図である。
【図９】本発明に係る実施例２の遠心ポンプの要部断面図である。
【図１０】図９の遠心ポンプの作用図である。
【発明を実施するための形態】
【００１５】
本発明を実施するための形態を添付図に基づいて以下に説明する。
【実施例１】
【００１６】
実施例１に係る遠心ポンプ２０について説明する。
図１、図２に示されるように、遠心ポンプユニット１０は、エンジン１４および遠心ポンプ２０を覆うように枠状に形成されたフレーム１１と、このフレーム１１のベース１２に設けられた遠心ポンプ２０とを有する。
【００１７】
エンジン１４は、ベース１２にシリンダブロック１５が設けられ、シリンダブロック１５に遠心ポンプ２０のポンプケース２２が設けられ、シリンダブロック１５からポンプケース２２内にクランク軸１６の端部１６ａが突出されている。
【００１８】
クランク軸１６は、端部１６ａの近傍部位１６ｂがメカニカルシール１７に回転自在に支持され、端部１６ａが遠心ポンプ２０の羽根車３１に連結されている。このため、エンジン１４を駆動してクランク軸１６（以下、回転軸１６という。）を回転することにより、回転軸１６で羽根車３１が回転される。
【００１９】
遠心ポンプ２０は、シリンダブロック１５に仕切部材２１を介してボルト止めされたポンプケース２２と、ポンプケース２２の内部に設けられて回転軸１６の端部１６ａに連結された羽根車３１と、羽根車３１を覆うボリュート４０とを有する。
【００２０】
また、遠心ポンプ２０は、ポンプケース２２のケース吸込口２５に連通された吸込ノズル３５と、ポンプケース２２および吸込ノズル３５間に上端部３６ａが挟持された開閉部３６と、ポンプケース２２のケース吐出口（ポンプケースの吐出口）２８に連通された吐出ノズル３７とを有する。
【００２１】
ポンプケース２２のケース開口部２３が仕切部材２１で閉塞され、仕切部材２１にボリュート４０が設けられることにより、ポンプケース２２、仕切部材２１およびボリュート４０でケース内流路３８が形成されている。特に、このケース内流路３８は、ポンプケース２２およびボリュート４０間に略環状に形成されている。
【００２２】
図２、図３に示されるように、ポンプケース２２は、ケース開口部２３が仕切部材２１で閉塞され、仕切部材２１に対峙する吸込側壁部２４と、吸込側壁部２４に形成されたケース吸込口２５と、ケース吸込口２５に連通された吸込通路部２６と、吸込側壁部２４の側縁に沿って環状（筒状）に形成された周壁部２７と、周壁部２７の上部に設けられたケース吐出口２８とを有する。
【００２３】
吸込側壁部２４の下方部位２４ｂ、すなわち吸込通路部２６の下部位２６ａの下方に突出部５１を有する。突出部５１は、吸込側壁部２４の下方部位２４ｂからケース内流路３８に向けて突出（膨出）されている。吸込側壁部２４の下方部位２４ｂに突出部５１を一体に形成することにより、突出部５１を別部材で形成する場合と比べて軽量化やコンパクト化を図ることができる。
【００２４】
図１〜図４に示されるように、突出部５１は、吸込側壁部２４の下方部位２４ｂからボリュート４０に向けて水平に張り出された頂部位５２と、頂部位５２から下方に向けて垂下されることによりボリュート４０に対向（対峙）する壁部位５３とを有する。
【００２５】
図４に示されるように、頂部位５２は、吸込通路部２６の下部位２６ａおよび上流側の周壁部２７ａ間に設けられた上流側頂部位５２ａと、吸込通路部２６の下部位２６ａおよび下流側の周壁部２７ｂ間に設けられた下流側頂部位５２ｂとを有する。上流側の周壁部２７ａは、ケース内流路３８のうちボリュート４０の開口部４８の上流側を形成する壁部である。下流側の周壁部２７ｂは、ケース内流路３８のうちボリュート４０の開口部４８の下流側を形成する壁部である。
【００２６】
上流側頂部位５２ａは、ケース吐出口２８の下流側で、かつ、ボリュート４０の開口部４８の上流側の範囲Ｈに設けられる。好ましくは、上流側頂部位５２ａは、範囲Ｈのうち吸込通路部２６の下部位２６ａに設けられている。
【００２７】
また、壁部位５３は、頂部位５２の縁辺から下方に向けて垂下されることにより、上辺が頂部位５２に沿って直線状に形成され、下辺が周壁部２７の下部に沿って湾曲状に形成され、半月状を呈する。壁部位５３にドレーン口５５が形成されている。ドレーン口５５にドレーンプラグ５４がねじ結合されることにより、ドレーン口５５がドレーンプラグ５４で閉塞されている。
【００２８】
また、吸込側壁部２４の下方部位２４ｂに突出部５１を設けることにより、ケース内流路３８の下部に流路絞部３９が形成されている。流路絞部３９は、ケース内流路３８の他の部位に比べて流路断面積が小さく形成されている。さらに、流路絞部３９は、羽根車３１の回転中心３４の下方、詳しくはボリュート吸込口４１の下側に設けられ、ボリュート４０の開口部４８に対して同じ高さに対応して配置される。よって、ボリュート４０の開口部４８が流路絞部３９に連通されている。
【００２９】
また、吸込側壁部２４にケース吸込口２５が設けられ、ケース吸込口２５に吸込通路部２６が連通されている。吸込通路部２６は、ボリュート４０の吸込口（ボリュート吸込口）４１に連通されている。ボリュート吸込口４１は、吸込通路部２６およびケース吸込口２５を経て吸込ノズル３５に連通されている。
【００３０】
さらに、周壁部２７の上部２７ｃにケース吐出口２８が設けられ、ケース吐出口２８に吐出ノズル３７が連通されている。吐出ノズル３７の上部に流体供給口６１が設けられ、流体供給口６１が供給プラグ６２で閉塞されている。流体供給口６１は、ボリュート４０の上方に配置されている。
【００３１】
仕切部材２１は、回転軸１６と同軸上に支持孔２１ａが形成され、支持孔２１ａにメカニカルシール１７が同軸上に支持され、メカニカルシール１７に回転軸１６（端部１６ａの近傍部位１６ｂ）が回転自在に支持されている。
【００３２】
回転軸１６の端部１６ａは、メカニカルシール１７を介してボリュート４０の内部に突出されている。よって、ボリュート４０の内部の流体が、近傍部位１６ｂから外部に漏れることをメカニカルシール１７で機械的に制限可能である。
【００３３】
ボリュート４０の内部に突出された回転軸１６の端部１６ａに羽根車３１が設けられている。羽根車３１は、ボリュート４０の内部に設けられ、回転軸１６の端部１６ａに設けられた円盤状のハブ３２と、ハブ３２に設けられるとともに回転軸１６を中心として放射状に配列された複数の羽根３３とを備えている。複数の羽根３３は、ハブ３２のうち、メカニカルシール１７の反対側の表面３２ａに設けられている。この羽根車３１は、ボリュート４０で覆われることによりボリュート４０の内部に収納されている。
【００３４】
ボリュート４０は仕切部材２１にボルト６６で取り付けられている。このボリュート４０は、ポンプケース２２の内部に設けられ、羽根車３１を収納可能に形成されたケーシングである。ボリュート４０および仕切部材２１でボリュート内流路６８が形成されている。このボリュート４０は、ポンプケース２２の吸込通路部２６に連通されたボリュート吸込口４１と、ボリュート吸込口４１（羽根車３１）の周囲に渦巻形に形成されたボリュート本体４２とを有する。
【００３５】
ボリュート本体４２は、羽根車３１の羽根３３の回転軸方向端面３３ａに対向する平面状の対向面４３を有する。
【００３６】
また、ボリュート本体４２は、下端部４２ａに開口部４８が形成され、左側上部４２ｂにボリュート吐出口（ボリュート４０の吐出口）４９が形成されている。開口部４８は、ケース内流路３８の呼び流体をボリュート４０の内部（すなわち、ボリュート内流路６８）に導くための開口である。
【００３７】
自吸運転の際、呼び流体は、供給プラグ６２を外し、流体供給口６１から供給される。ボリュート内流路６８に供給された呼び流体は、ボリュート内流路６８の気体とともにボリュート吐出口３９から吐出され、ケース内流路３８に導かれる。なお、呼び流体とは、遠心ポンプ２０の自吸運転の際に呼び水作用を奏する流体である。
【００３８】
詳細には、自吸運転の際、ケース内流路３８に供給された呼び流体は、羽根車３１が図４に示す矢印Ａのように回転することにより、開口部４８からボリュート内流路６８に吸い込まれる。ボリュート内流路６８に吸い込まれた流体に、ボリュート内流路６８の気体が気泡状に含まれる。気泡を含んだ流体は、矢印Ｂのようにボリュート吐出口４９から吐出される。この流体がケース内流路３８の上部３８ａに吐出されることにより、気泡状の気体は、呼び流体から分離され、ケース吐出口２８から吐出ノズル３７を経由して遠心ポンプ２０の外部に排出される。また、気泡状の気体が抜けた呼び流体は、矢印Ｃのように流れる。
【００３９】
一方、定常運転の際、ボリュート吸込口４１からボリュート内流路６８に導入された流体は、ボリュート吐出口３９から吐出され、ケース内流路３８に導かれる。ポンプケース２２と吸込ノズル３５との間には、開閉部３６の上部が揺動自在に狭持されている。開閉部３６が、図２に示す矢印のように揺動することで、吸込ノズル３５を開閉する。
【００４０】
詳細には、定常運転の際、羽根車３１が、図４に示す矢印Ａのように回転することにより、ボリュート吸込口４１からボリュート内流路６８に流体が吸入される。ボリュート内流路６８に吸入された流体は、矢印Ｂのようにボリュート吐出口４９から吐出される。ケース内流路３８に吐出された流体は、ケース吐出口２８を経由して、吐出ノズル３７に送られる。
【００４１】
図５〜図７に示されるように、ボリュート４０の対向面４３は、羽根車３１の回転軸方向端面３３ａに近接している近接部４４を有する。この近接部４４は、回転軸１６を中心とした環状に形成されている。このため、羽根車３１の回転時、回転方向軸端面３３ａは、常に近接部４４に近接した状態が維持される。
【００４２】
近接部は４４、環状に形成された外周部分４５と、この外周部分４５の内側に環状に形成された対向面４３と、この対向面４３の内側に環状に形成された内周部分４６とからなり、底面視で三重の環状に形成されている。
【００４３】
近接部４４の外周部分４５は、各羽根３３の回転軌跡の範囲Ｓ１内で、各羽根３３から回転軸方向に離れつつ末広がりとなるテーパ状に形成されている。近接部４４の内周部分４６は、各羽根３３の回転軌跡の範囲Ｓ１内で、各羽根３３から回転軸方向に離れつつ先細りとなるテーパ状に形成されている。
【００４４】
内周部分４６と外周部分４５との間は離間しており、内周部分４６と外周部分４５との間に平面状の対向面４３が配置される。テーパ状の外周部分４５、テーパ状の内周部分４６及び回転方向軸端面３３ａに近接する対向面４３は、羽根３３の回転軌跡の範囲Ｓ１に、それぞれ略１／３の範囲で重なっている。
【００４５】
ボリュート本体４２は、ボリュート吸込口４１に連続するテーパ状の内周部分４６と、この内周部分４６に連続する対向面４３と、この対向面４３に連続する外周部分４５と、外周部分４５に連続するとともに回転軸方向端面３３ａから離間する離間対向面４７ａと、離間対向面４７ａに連続するとともに羽根３３の外周面３３ｂを囲うように形成される周壁４７ｂとを有する。
【００４６】
以上に説明した遠心ポンプの作用を次に述べる。
図８（ａ）は比較例の遠心ポンプ１００の作用図である。比較例の遠心ポンプ１００のボリュート１０１は、ボリュート吸込口１０２と、このボリュート吸込口１０２の端部に連続する平面状の対向面１０３と、対向面１０３に連続する縦壁１０４と、縦壁１０４に連続するとともに羽根車１１０から離間して形成される離間対向面１０５と、この離間対向面１０５に連続するとともに羽根車１１０を囲うように形成される周壁１０６とを有する。
【００４７】
定常運転時、流体は、ボリュート吸込口１０２から矢印Ｄのように流れ、ボリュート内流路１０７に導かれる。羽根車１１０の各羽根１１１の回転軸方向端面１１２に、対向面１０３が近接しているので、ボリュート内流路１０７からボリュート吸込口１０２に流体が逆流することを防止できる。ボリュート吸入口１０２からボリュート内流路１０７にかけての流路は大きいほど好ましいが、ボリュート１０１を囲うポンプケースとの干渉を避けるために、ボリュート１０１の全体の大きさには制約がある。比較例の遠心ポンプ１００では、流路の有効断面積が小さく、流路が折れ曲がるように形成されているため、流量が大きくできない。
【００４８】
図８（ｂ）は実施例の遠心ポンプ２０の作用図である。実施例の遠心ポンプ２０は、ボリュート４０の内周部分４６がテーパ状に形成されている。このため、定常運転時、流体は、ボリュート吸込口４１から矢印Ｅのようにボリュート内流路６８に滑らかに流れることができ、流量を大きくすることができる。また、ボリュート４０の外周部分４５もテーパ状に形成されている。これにより、流路の有効断面積を大きくすることができ、より一層流量を大きくできる。このように、実施例の遠心ポンプ２０は、ボリュート４０の全体の大きさを変えることなく、流量を大きくすることができる。
【００４９】
また、自吸運転時、外周部分４５をテーパ状にすることで、呼び水がＦのように流れ、呼び水の供給が促進され、気液の撹拌が促進される。このため、自吸の速度を速くすることができる。さらに、羽根車３１の回転軸方向端面３３ａに近接する対向面４３の範囲は、図７に示した範囲Ｓ１の略１／３の範囲で重なっているので、ボリュート内流路６８からボリュート吸込口４１に流体が逆流することを防止できる。
【００５０】
以上に述べた実施例１の遠心ポンプ１０をまとめて以下に記載する。
図５、図７に示されるように、近接部４４は、回転軸１６を中心とした環状に形成され、この近接部４４の外周部分４５は、各羽根３３の回転軌跡の範囲Ｓ１内で、各羽根３３から回転軸方向に離れつつ末広がりとなるテーパ状に形成されているので、外周部分４５の流路断面積を大きくすることができる。また、外周部分４５をテーパ状にすることで、流路の方向を、急角度ではなく、滑らかに変えることができる。結果、ボリュート４０全体の大きさを維持しつつ、ボリュート４０内の空間を有効に使うことができ、ボリュート４０内の流量を大きくすることができる。また、外周部分４５の吐出口４９から呼び水が供給されやすくなり、気液の撹拌が促進されて自吸の向上を図ることができる。
【００５１】
図５、図７に示されるように、近接部４４の内周部分４６は、各羽根３３の回転軌跡の範囲Ｓ１内で、各羽根３３から回転軸方向に離れつつ先細りとなるテーパ状に形成されているので、内周部分４６の流路断面積を大きくすることができる。また、内周部分４６をテーパ状にすることで、流路の方向を、急角度ではなく、滑らかに変えることができる。結果、より一層ボリュート４０内の空間を有効に使うことができ、ボリュート４０内の流量を大きくしてより自吸の向上を図ることができる。また、内周部分４６と外周部分４５との間は離間しているので、各羽根３３の回転軌跡の範囲Ｓ１内で接近部４４を存在させて、流体の逆流を防止することができる。結果、吐出揚程は変化しない。
【実施例２】
【００５２】
次に、本発明の実施例２を図面に基づいて説明する。なお、図７に示した構成と同一構成については同一符号を付け、詳細説明は省略する。
図９、図１０に示すように、ボリュート４０は、近接部４４のなかの、テーパ状の外周部分４５には、羽根車３１に向かって起立した複数のフィン５６が設けられている。複数のフィン５６は、回転軸１６を中心として放射状に配列されている。
【００５３】
図１０（ａ）は、フィン５６は、回転軸１６から真っ直ぐに外周に向かって延びている。羽根車３１が矢印Ｇのように回転すると、流体は、フィン５６によって整流され、矢印Ｈのように流れ、流量を大きくすることができる。
【００５４】
図１０（ｂ）は、フィン５６は、回転軸１６から真っ直ぐに外周に向かう法線方向に対して、羽根車３１の回転方向に傾斜して設けられている。羽根車３１が矢印Ｊのように回転すると、流体は、フィン５６によって整流されるとともに、矢印Ｋのようにボリュート吐出口４９に向かって流れる。このため、流体はボリュート吐出口４９から吐出しやすくなり、流量を増大させることができる。
【００５５】
図１０（ｃ）は、フィン５６は、回転軸１６から真っ直ぐに外周に向かう法線方向に対して、羽根車３１の回転方向とは逆方向に傾斜して設けられている。自吸運転時、羽根車３１が矢印Ｌのように回転すると、ボリュート内通路６８の呼び水は、矢印Ｍのように羽根車３１の回転方向に向かって流れる。このため、呼び水の流量を大きくでき、自吸の速度を速くすることができる。
【００５６】
また、フィン５６の密度を高くすることで、最大揚程を向上させることができ、フィン５６の密度を低くすることで自吸性能を向上させることができ、目的に合わせた遠心ポンプ２０の調整を容易にできる。
【００５７】
以上に述べた実施例２の遠心ポンプ１０をまとめて以下に記載する。
図９、図１０に示されるように、近接部４４のなかの、テーパ状の外周部分４５には、羽根車３１に向かって起立した複数のフィン５６が設けられる。複数のフィン５６は、回転軸１６を中心として放射状に配列されているので、流体を整流することができ、流体の流れを滑らかにすることができる。結果、流路の抵抗を下げることができ、羽根車３１を回転させる駆動源への負荷を低減させることができる。
【００５８】
尚、本発明では、外周部分４５を各羽根３３から回転軸方向に離れつつ末広がりとなるテーパ状に形成し、外周部分４５を断面直線状に形成したが、これに限定されず、外周部分４５の断面を湾曲させても差し支えない。また、内周部分４６を各羽根３３から回転軸方向に離れつつ先細りとなるテーパ状に形成し、内周部分４６を断面直線状に形成したが、これに限定されず、内周部分４６の断面を湾曲させても差し支えない。
【産業上の利用可能性】
【００５９】
本発明は、ボリュート内に羽根車を備え、羽根車を回転することによりボリュート内に吸い込んだ流体をボリュートに沿わせて送り出し、送り出した流体を外部に吐出する遠心ポンプに好適である。
【符号の説明】
【００６０】
１６…クランク軸（回転軸）、２０…遠心ポンプ、２２…ポンプケース、３１…羽根車、３３…羽根、３３ａ…回転軸方向端面、４０…ボリュート、４３…対向面、４４…近接部、４５…外周部分、４６…内周部分、５６…フィン。
【図１】
2015052285.tif 000003
【図２】
2015052285.tif 000004
【図３】
2015052285.tif 000005
【図４】
2015052285.tif 000006
【図５】
2015052285.tif 000007
【図６】
2015052285.tif 000008
【図７】
2015052285.tif 000009
【図８】
2015052285.tif 000010
【図９】
2015052285.tif 000011
【図１０】
2015052285.tif 000012